(57)【要約】【課題】本考案は、取付部と本体部とが離隔し難い装飾具を提供することを課題とする。【解決手段】本考案の装飾具１は、球体に形成された本体部２と、本体部２から延出し、本体部２を被装飾体に取り付ける取付部３とを備えることを特徴とする。取付部３には、取付部３を横切る方向に貫通穴部４が設けられている。この貫通穴部４に紐７を挿通し、紐７を介して装飾具１を被装飾体に取り付ける。【選択図】　　　　　図１
0003096978.tif 000002
【実用新案登録請求の範囲】
【請求項１】
球体に形成された本体部と、
前記本体部と一体成形され、前記本体部を被装飾体に取り付ける取付部と、
を備え、
前記取付部は前記本体部の表面から延出していることを特徴とする装飾具。
【請求項２】
前記取付部は、前記本体部表面から垂直に延出することを特徴とする請求項１に記載の装飾具。
【請求項３】
前記取付部には、当該取付部の延出方向とは異なる向きに貫通穴が設けられていることを特徴とする請求項１又は２に記載の装飾具。
【請求項４】
前記取付部は立体形状をなすことを特徴とする請求項１〜３の何れかに記載の装飾具。
【請求項５】
前記本体部は中空であることを特徴とする請求項１〜４の何れかに記載の装飾具。
【考案の詳細な説明】
【０００１】
【考案の属する技術分野】
本考案は、装飾品に関し、特に装飾品本体を被装飾体に取り付けるための取り付け手段を有する装飾品に関する。
【０００２】
【従来の技術】
従来より、実用化されている装飾品は数多くある。装飾品として、例えば、店舗，壁，クリスマスツリー等に飾る装飾品や、インテリとして飾られる装飾品等がある。これらの装飾品は、加工性や美観性からガラス製やプラスチック製のものが多い。
【０００３】
また、これらの装飾品は用途毎に様々な形状のものがある。例えば、クリスマスツリーに飾る装飾具の中には、球体状の装飾具がある。
【０００４】
図５に従来の装飾具１０１の外観を示す。従来の装飾具は、大抵、球体の本体部１０２と、装飾具をクリスマスツリーに取り付けるための取付部１０３とから構成されている。
【０００５】
取付部には、紐（ワイヤー等）１０７を通すための貫通穴部１０４が設けられている。この貫通穴部１０４に紐１０７を通し、その紐１０７によってクリスマスツリーに取り付ける。
【０００６】
【考案が解決しようとする課題】
ところが、従来の装飾具は、接着剤によって取付部１０３を本体部１０２に取り付ける構成となっていた。そのため、取付部１０３が本体部１０２から剥離しやすかった。
【０００７】
そこで本考案は、このような事項に鑑みてなされたものであって、取付部と本体部とが離隔し難い装飾具を提供することを課題とする。
【０００８】
【課題を解決するための手段】
上記課題を解決するため、本考案は、球体に形成された本体部と、この本体部と一体成形され、本体部を被装飾体に取り付ける取付部とを備えることを特徴とする。この取付部は、本体部の表面から延出している。
【０００９】
このように、本体部と取付部とを一体成形することにより、取付部が本体部から剥離してしまうことを防ぐことができる。
【００１０】
また、本考案の取付部には、取付部の延出方向とは異なる向きに貫通穴が設けられている。この貫通穴には紐やワイヤが挿通され、本考案の装飾具はこの紐やワイヤによって被装飾体に取り付けられる。
【００１１】
また、本考案に係る取付部は、本体部表面に対して垂直に延出することを特徴とする。これによって、貫通穴に紐やワイヤを通して被装飾体に取り付けるとき、装飾具を重力方向にまっすぐ取り付けることができる。
【００１２】
さらに、本考案に係る取付部は立体に形成されていると好ましい。取付部の形状は、円柱状，角柱状，錐状等とすることができる。
【００１３】
また、本考案にかかる本体部内部は中空としてもよい。本体部の内部を中空にする場合、ブロー成形が好適である。本考案の装飾具は、ブロー成形だけでなく、射出成形やプレス成形等、熱可塑性材料に対応した成形方法によって形成することができる。
【００１４】
また、本考案の装飾具は、プラスチックやガラスによって加工してもよい。材料がプラスチックやガラスであれば、半透明又は透明の装飾具を作成することができ、美観を向上させることができる。
【００１５】
【考案の実施の形態】
以下、本考案に係る装飾具の実施の形態について説明する。尚、本実施形態の装飾具は、熱可塑性のプラスチック（例えば、ポリスチレン等）を材料としている。また、本実施形態の装飾具は、ブロー成形により形成される。このブロー成形は既知の成形方法であるため説明を割愛する。
【００１６】
図１に本実施形態の装飾具１の斜視図を示し、図２に本実施形態の装飾具１の断面図（図１中Ａ−Ａ断面図）を示す。
【００１７】
本実施形態の装飾具１は、球体に形成された本体部２と、本体部２から延出した取付部３とを備えている。
【００１８】
本体部２は、装飾具１自体の軽量化を図るため内部は空洞となっている。
【００１９】
また、本体部２の表面は塗料にて塗装されている。尚、塗装の色は特に限定しない。
【００２０】
取付部３は円柱状に形成されている。この取付部３は、本体部２の表面から外方に向けて垂直に延出している。すなわち、本体部２と取付部３とは一体成形されている。
【００２１】
また、取付部３には、一方の側面から他方の側面に向かって貫通した貫通穴部４が設けられている。貫通穴部４は、一方の側面に第一開口部５を有し他方の側面に第二開口部６を有している。つまり、貫通穴部４の一端は第一開口部５であり多端は第二開口部６である。
【００２２】
この貫通穴部４は、ブロー成形を行う際に、金型の中にあらかじめピンをセットしておくことにより形成する。ピンをセットした金型の中で、ポリスチレンで形成されたパリソン内に空気を吹き込む。そして袋状（バブル状）になったパリソンを金型の内壁に密着させる。これによって、貫通穴部４が形成された取付部３を有する装飾具１が形成される。
【００２３】
図２に示すように、貫通穴部４には、クリスマスツリーや壁等の被装飾体に装飾具１を取り付けるための紐（ワイヤ等）７が挿通される。
【００２４】
図２に示すように貫通穴部４に紐７を通し、被装飾体に取り付けると、紐７は上方に引っ張られ第一開口部５の周縁と第二開口部６の周縁との二カ所に接触する。
【００２５】
このように、紐７が両開口部の周縁の二カ所に接触することにより、自重による応力集中を分散することができる。これによって、紐７が装飾具１の自重によって切れてしまうことを極力防ぐことができる。
【００２６】
以上が、本実施形態の装飾具１である。上述したように、本実施形態の装飾具１は、本体部２と取付部３とが一体成形されている。これによって、取付部３を本体部２に接着するという加工工程を省略することができる。
【００２７】
それに伴い、本実施形態の装飾具１は、取付部３と本体部２とを接着剤にて接着していないため、取付部３が本体部２から剥離してしまうおそれがなくなる。
【００２８】
＜変形例１＞
図３に本実施形態の変形例１の装飾具１の斜視図を示す。変形例１の装飾具１は、本体部２が多面体（ミラーボール状）に形成されている。
【００２９】
このような装飾具１もブロー成形，射出成形，プレス成形等の成形方法により作ることが可能である。尚、本実施形態と同一の箇所には本実施形態と同様の符号を付した。
【００３０】
＜変形例２＞
図４に本実施形態の変形例２の装飾具１の斜視図を示す。変形例２の装飾具１は、本体部２が提灯のような蛇腹状に形成されている。もちろん、変形例２のような装飾具１も上述した装飾具１と同様の成形方法により作ることができる。尚、本実施形態と同一の箇所には本実施形態と同様の符号を付した。
【００３１】
尚、本考案の装飾具は、上述の図示例にのみ限定されるものではなく、本考案の要旨を逸脱しない範囲内において種々変更を加え得ることは勿論である。
【００３２】
【考案の効果】
以上のことにより、本考案によれば、取付部と本体部とが離隔し難い装飾具を提供することが可能となる。
【図面の簡単な説明】
【図１】本実施形態の装飾具の斜視図である。
【図２】図１のＡ−Ａ断面図である。
【図３】変形例１の装飾具を示す図である。
【図４】変形例２の装飾具を示す図である。
【図５】従来の装飾具を示す図である。
【符号の説明】
１，１０１　装飾具
２，１０２　本体部
３，１０３　取付部
４，１０４貫通穴部
５　第一開口部
６　第二開口部
７，１０７　紐
【図１】
0003096978.tif 000003
【図２】
0003096978.tif 000004
【図３】
0003096978.tif 000005
【図４】
0003096978.tif 000006
【図５】
0003096978.tif 000007